【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
ＥＣＧデバイス用のＥＣＧコントローラであって、前記ＥＣＧコントローラは、
ベースＥＣＧ誘導システム及び副ベースＥＣＧ誘導システムのうちの１つと接続されて、ＥＣＧ信号を受信する電極インターフェースと、
ＥＣＧ解釈器であって、
前記電極インターフェースと通信して、前記ＥＣＧ信号に応答してＥＣＧ波形を生成し、
さらに、前記電極インターフェースへの前記ベースＥＣＧ誘導システム及び前記副ベースＥＣＧ誘導システムのうちの１つの接続に応答して、前記ＥＣＧ波形の少なくとも１つの形態特徴を抽出する
ＥＣＧ解釈器と、
ケーブル入れ替り分類器であって、
前記ＥＣＧ解釈器と通信して、前記電極インターフェースへの前記副ベースＥＣＧ誘導システムの前記接続に応答して、及びさらに前記ＥＣＧ解釈器による前記ＥＣＧ波形の前記少なくとも１つの形態特徴の抽出に応答して、前記電極インターフェースと前記副ベースＥＣＧ誘導システムとの間のケーブル入れ替りを検出して分類し、
さらに、前記電極インターフェースと通信して、前記電極インターフェースへの前記ベースＥＣＧ誘導システムの前記接続に応答して前記ベースＥＣＧ誘導システムの少なくとも１つの冗長性特徴を生成し、
さらに、前記ＥＣＧ解釈器と通信して、前記ＥＣＧ解釈器による前記ＥＣＧ波形の前記少なくとも１つの形態特徴の抽出に応答して、及びさらに前記ケーブル入れ替り分類器による前記ベースＥＣＧ誘導システムの前記少なくとも１つの冗長性特徴の生成に応答して、前記電極インターフェースと前記ベースＥＣＧ誘導システムとの間のケーブル入れ替りを検出して分類する
ケーブル入れ替り分類器と、
を備える、ＥＣＧコントローラ。
【請求項２】
前記副ベースＥＣＧ誘導システムが前記ベースＥＣＧ誘導システムのサブセットである、請求項１に記載のＥＣＧコントローラ。
【請求項３】
前記ベースＥＣＧ誘導システムが標準１２誘導システムであり、
前記副ベースＥＣＧ誘導システムが、四肢単独誘導システム及び限定前胸部誘導システムのうちの１つである、請求項１に記載のＥＣＧコントローラ。
【請求項４】
前記ＥＣＧ波形のＰ波が正常な特性を示すのに応答して、前記ＥＣＧ解釈器は、Ｐ波の前面軸、ＱＲＳ波の前面軸、前記Ｐ波の時計方向ベクトルループ回転方向、前記ＱＲＳ波の時計方向ベクトルループ回転方向、Ｐ−ＱＲＳ−Ｔ波の面積、及び前記Ｐ−ＱＲＳ−Ｔ波の振幅、のうちの少なくとも１つを含む前記ＥＣＧ波形の前記少なくとも１つの形態特徴を抽出する、請求項１に記載のＥＣＧコントローラ。
【請求項５】
前記ＥＣＧ波形のＰ波が異常な特性を示すのに応答して、前記ＥＣＧ解釈器は、ＱＲＳ波の前面軸、前記ＱＲＳ波の時計方向ベクトルループ回転方向、Ｒ波の振幅、ＱＲＳ−Ｔ波の面積、及び前記ＱＲＳ−Ｔ波の振幅、を含む前記ＥＣＧ波形の前記少なくとも１つの形態特徴を抽出する、請求項１に記載のＥＣＧコントローラ。
【請求項６】
前記ケーブル入れ替り分類器は、前記電極インターフェースと前記副ベースＥＣＧ誘導システムとの間のケーブル入れ替りを検出して分類するための決定木を備える、請求項１に記載のＥＣＧコントローラ。
【請求項７】
前記決定木は、前記ＥＣＧ波形の前記少なくとも１つの形態特徴に対応する少なくとも１つの根ノードを含み、
前記決定木は、前記電極インターフェースと前記副ベースＥＣＧ誘導システムとの間のケーブル入れ替りに対応する少なくとも１つの葉ノードをさらに含む、請求項６に記載のＥＣＧコントローラ。
【請求項８】
前記ケーブル入れ替り分類器は、変換行列から前記ベースＥＣＧ誘導システムの前記少なくとも１つの冗長性特徴を導き出す、請求項１に記載のＥＣＧコントローラ。
【請求項９】
前記ケーブル入れ替り分類器は、前記電極インターフェースと前記ベースＥＣＧ誘導システムとの間のケーブル入れ替りを検出して分類するためのサポートベクトルマシンを含み、
前記サポートベクトルマシンは、前記ＥＣＧ解釈器による前記ＥＣＧ波形の前記少なくとも１つの形態特徴の前記抽出に応答して、及びさらに前記ケーブル入れ替り分類器による前記ベースＥＣＧ誘導システムの前記少なくとも１つの冗長性特徴の前記生成に応答して、ケーブル入れ替りクラスと入れ替りなしのクラスとのすべての組み合わせの線形分類スコアを生成する複数のバイナリ分類器を含む、請求項１に記載のＥＣＧコントローラ。
【請求項１０】
前記サポートベクトルマシンは、各線形分類スコアを分類するための複数のヒストグラムを含む、請求項９に記載のＥＣＧコントローラ。
【請求項１１】
前記サポートベクトルマシンは、前記線形分類スコアの前記分類の投票方式から導き出される、前記電極インターフェースと前記ベースＥＣＧ誘導システムとの間のケーブル入れ替りを分類する、請求項１０に記載のＥＣＧコントローラ。
【請求項１２】
前記副ベースＥＣＧ誘導システムは、ＲＡ電極、ＬＡ電極、及びＬＬ電極を備え、
前記ケーブル入れ替り分類器による前記電極インターフェースと前記副ベースＥＣＧ誘導システムとの間のケーブル入れ替りの検出に応答して、前記ケーブル入れ替り分類器は、前記検出を、ＬＡ−ＲＡの入れ替り、ＲＡ−ＬＬの入れ替り、ＬＡ−ＬＬの入れ替り、時計方向回転ｒＬＡＬの入れ替り、及び反時計方向回転ｒＬＡＲの入れ替り、のうちの１つに分類する、請求項１に記載のＥＣＧコントローラ。
【請求項１３】
前記副ベースＥＣＧ誘導システムは、ＲＡ電極、ＬＡ電極、ＬＬ電極、及び２つ以上の前胸部電極を備え、
前記ケーブル入れ替り分類器による前記電極インターフェースと前記副ベースＥＣＧ誘導システムとの間のケーブル入れ替りの検出に応答して、前記ケーブル入れ替り分類器は、前記検出を、ＬＡ−ＲＡの入れ替り、ＲＡ−ＬＬの入れ替り、ＬＡ−ＬＬの入れ替り、時計方向回転ｒＬＡＬの入れ替り、反時計方向回転ｒＬＡＲの入れ替り、及び前胸部の入れ替り、のうちの１つに分類する、請求項１に記載のＥＣＧコントローラ。
【請求項１４】
前記ベースＥＣＧ誘導システムは、ＲＡ電極、ＬＡ電極、ＬＬ電極、及び前胸部電極Ｖ１〜Ｖ６を備え、
前記ケーブル入れ替り分類器による前記電極インターフェースと前記ベースＥＣＧ誘導システムとの間のケーブル入れ替りの検出に応答して、前記ケーブル入れ替り分類器は、前記検出を、ＬＡ−ＲＡの入れ替り、ＲＡ−ＬＬの入れ替り、ＬＡ−ＬＬの入れ替り、時計方向回転ｒＬＡＬの入れ替り、反時計方向回転ｒＬＡＲの入れ替り、及び前胸部の入れ替り、のうちの１つに分類する、請求項１に記載のＥＣＧコントローラ。
【請求項１５】
ＥＣＧデバイス用のＥＣＧコントローラの作動の方法であって、前記方法は、
前記ＥＣＧコントローラが、ベースＥＣＧ誘導システム及び副ベースＥＣＧ誘導システムのうちの１つからＥＣＧ信号を受信するステップと、
前記ＥＣＧコントローラが、前記ＥＣＧ信号に応答してＥＣＧ波形を生成するステップと、
前記ＥＣＧコントローラが前記ベースＥＣＧ誘導システム及び前記副ベースＥＣＧ誘導システムのうちの１つから前記ＥＣＧ信号を受信するのに応答して、前記ＥＣＧコントローラが前記ＥＣＧ波形の少なくとも１つの形態特徴を抽出するステップと、
前記ＥＣＧコントローラが前記副ベースＥＣＧ誘導システムから前記ＥＣＧ信号を受信するのに応答して、及びさらに前記ＥＣＧコントローラによる前記ＥＣＧ波形の前記少なくとも１つの形態特徴の前記抽出に応答して、前記ＥＣＧコントローラが前記ＥＣＧコントローラと前記副ベースＥＣＧ誘導システムとの間のケーブル入れ替りを検出して分類するステップと、
前記ＥＣＧコントローラが前記ベースＥＣＧ誘導システムから前記ＥＣＧ信号を受信するのに応答して、前記ＥＣＧコントローラが前記ベースＥＣＧ誘導システムの少なくとも１つの冗長性特徴を生成するステップと、
前記ＥＣＧコントローラによる前記ＥＣＧ波形の前記少なくとも１つの形態特徴の前記抽出に応答して、及びさらに前記ＥＣＧコントローラによる前記ベースＥＣＧ誘導システムの前記少なくとも１つの冗長性特徴の生成に応答して、前記ＥＣＧコントローラが前記ＥＣＧコントローラと前記ベースＥＣＧ誘導システムとの間のケーブル入れ替りを検出して分類するステップと
を有する、方法。